(57)【要約】【課題】シート押さえ具がシートから外れないようにする。【解決手段】地面に敷設されたシート上に載置されるシート押さえ具であって、板状部材と、板状部材の裏面に設けられ、シートと結合するシート結合部とを備え、シート結合部は、シートを貫通する尖頭部を有し、尖頭部を含む断面の一部が矢印となっている。シート結合部は、尖頭部と、板状部材に接続された支持部と、支持部と尖頭部とに接続され、支持部の下端と尖頭部の根元よりも外周の小さいシート挿入部を備えてもよい。【選択図】図２
2020018207.tif 000002
【特許請求の範囲】
【請求項１】
地面に敷設されたシート上に載置されるシート押さえ具であって、
板状部材と、前記板状部材の裏面に設けられ、前記シートと結合するシート結合部とを備え、
前記シート結合部は、前記シートを貫通する尖頭部を有し、該尖頭部を含む断面の一部が矢印となっているシート押さえ具。
【請求項２】
前記板状部材の下端と、前記シート結合部の前記尖頭部の根元とはほぼ同じ高さである、請求項１に記載のシート押さえ具。
【請求項３】
前記シート結合部は、前記尖頭部と、前記板状部材に接続された支持部と、前記支持部と前記尖頭部とに接続され、前記支持部の下端と前記尖頭部の根元よりも外周の小さいシート挿入部を備えた、請求項１に記載のシート押さえ具。
【請求項４】
前記板状部材の下端は、前記シート結合部の前記尖頭部の根元と、前記支持部の下端との間の高さに位置している、請求項３に記載のシート押さえ具。
【請求項５】
前記尖頭部は錐体である、請求項１から４のいずれか１項に記載のシート押さえ具。
【請求項６】
前記錐体の側面に該側面に垂直な複数の羽根部を有する、請求項５に記載のシート押さえ具。
【請求項７】
前記板状部材は、略Ｕ字状に折り曲げてなるアンカーを挿入する少なくとも２つの凹部又は貫通孔を有する請求項１から６のいずれか１項に記載のシート押さえ具。
【発明の詳細な説明】
【技術分野】
【０００１】
本発明は、地面に敷設した防草シート等のシートを地面に固定し、シートに結合可能なシート押さえ具に関する。
【背景技術】
【０００２】
従来、地面に雑草が繁茂することを防止するための手段の一つとして、防草シートを敷設することがあげられる。また、防草シートを敷設する際には、防草シートを地面に押さえ付けるための押さえ具が必要となる。
【０００３】
従来の押さえ具としては、２つの孔部が表面に形成された円板状のワッシャと、Ｕ字形のアンカーとからなるものがある（特許文献１参照）。具体的には、作業者が、ワッシャを防草シートにおける地面に固定したい部位に載置し、アンカーをワッシャの２つの孔部に差し込む。これにより、アンカーが防草シートを貫通して地面に差し込まれるとともに、防草シートにおけるワッシャによって覆われた領域が、地面に密着した状態で維持される。その結果、防草シートが地面から剥がれにくくなり、地面が防草シートによって覆われた状態で維持される。
【０００４】
しかしながら、上記Ｕ字形のアンカーは、一対の棒状部分が互いに平行であるため、ワッシャに対して下から上に突き上げるような力が加わった場合に、ワッシャとともにアンカーが上方に移動し、アンカーが地面から抜けてしまうおそれがある。このような課題を解消するものとして、地面に差し込まれたアンカーが地面から容易に抜けないことにより、防草シートで地面を覆った状態を安定して保つことを可能とするシート押さえ用ワッシャが特許文献２に記載されている。
【０００５】
特許文献２に記載のシート押さえ用ワッシャは、平板部材に、軟鋼からなる棒状部材を略Ｕ字状に折り曲げてなるアンカーを挿入する少なくとも２つの貫通孔を形成してなる、地面に敷設されたシート上に載置されるシート押さえ用ワッシャであって、２つの貫通孔は、平板部材の表面から厚さ方向に延び、更に、厚さ方向の所定部位から斜め方向に延びて裏面に到達するものである。
【先行技術文献】
【特許文献】
【０００６】
【特許文献１】実開平３−１２６４４９号公報
【特許文献２】特開２０１５−２１３４８０号公報
【発明の概要】
【発明が解決しようとする課題】
【０００７】
特許文献１及び２に記載されるようなワッシャは、例えば、霜がおりた場合に、上方に押し上げる力が働く。また、強風によってもワッシャは上方に押し上げる力が働く。この場合、ワッシャがシートから外れるとワッシャを紛失してしまう場合がある。
【０００８】
本発明は、このような課題を解決し、シート押さえ具がシートから外れないようにすることを実現したシート押さえ具を提供することを目的とする。
【課題を解決するための手段】
【０００９】
前記目的を達成するため、本発明は、次に記載する構成を備えている。
【００１０】
（１）  本発明に係るシート押さえ具は、地面に敷設されたシート上に載置されるシート押さえ具であって、
板状部材と、前記板状部材の裏面に設けられ、前記シートと結合するシート結合部とを備え、
前記シート結合部は、前記シートを貫通する尖頭部を有し、該尖頭部を含む断面の一部が矢印となっているシート押さえ具である。
【００１１】
（２）  （１）に記載のシート押さえ具において、前記板状部材の下端と、前記シート結合部の前記尖頭部の根元とはほぼ同じ高さとすることができる。
【００１２】
（３）  （１）に記載のシート押さえ具において、前記シート結合部は、前記尖頭部と、前記板状部材に接続された支持部と、前記支持部と前記尖頭部とに接続され、前記支持部の下端と前記尖頭部の根元よりも外周の小さいシート挿入部を備えることができる。
【００１３】
（４）  （３）に記載のシート押さえ具において、前記板状部材の下端は、前記シート結合部の前記尖頭部の根元と、前記支持部の下端との間の高さに位置していることが望ましい。
【００１４】
（５）  （１）から（４）のいずれかに記載のシート押さえ具において、前記尖頭部は錐体とすることができる。
【００１５】
（６）  （５）に記載のシート押さえ具において、前記錐体の側面に該側面に垂直な複数の羽根部を有することができる。
【００１６】
（７）  （１）から（６）のいずれかに記載のシート押さえ具において、前記板状部材は、略Ｕ字状に折り曲げてなるアンカーを挿入する少なくとも２つの凹部又は貫通孔を有してもよい。
【発明の効果】
【００１７】
本発明によれば、シートとシート押さえ具とが結合され、シート押さえ具がシートから外れないようにすることが可能になる。
【図面の簡単な説明】
【００１８】
【図１】本発明の一実施形態におけるシート押さえ具の外観を示す斜視図である。
【図２】本発明の一実施形態におけるシート押さえ具の外観を示す説明図である。
【図３】本発明の本実施形態のシート押さえ具とシートとの位置関係を示す説明図である。
【図４】本発明の本実施形態のシート押さえ具の使用方法を示す説明図である。
【図５】シート押さえ具とアンカーとを用いて防草シートを地面に固定した状態を示す説明図である。
【発明を実施するための形態】
【００１９】
以下、本発明の実施形態について、図面を参照しながら詳細に説明する。
図１は本発明の一実施形態におけるシート押さえ具の外観を示す斜視図である。図２は、本発明の一実施形態におけるシート押さえ具１の外観を示す説明図であり、図２（ａ）は表面（上面）側を示す上面図、図２（ｂ）は図２（ａ）のＡＡ線断面図、図２（ｃ）は裏面（下面）側を示す下面図である。
【００２０】
シート押さえ具１は、板状部材に相当する湾曲した円板部１０と、円板部１０の下面（裏面）側に設けられたシート結合部２５とを備えている。
円板部１０の表面（上面）には、２箇所に形成された貫通孔を形成する凹部２１ａ，２１ｂと、凹部２２と、直線溝２３ａ，２３ｂとを備えている。
【００２１】
凹部２１ａ、２１ｂは、図２（ｂ）に示すように、上面側の開口から外側に向かって斜め方向に向かって延びる凹部となっている。このように凹部２１ａ、２１ｂが外側に向かって斜め方向に向かって延びることでＵ字形のアンカーを凹部２１ａ、２１ｂをハンマー等で打ち込んだときに、凹部２１ａ、２１ｂの底面を貫通したＵ字形のアンカーの一対の棒状部分は「ハ」の字状に延びていく。この点について図４を用いて後述する。
凹部２２は図２（ｂ）に示す支持部２５ｃを「コ」の字状の中空台で構成するために設けられたもので、支持部２５ｃを中空台でない円柱等で構成する場合には設けなくともよい。
直線溝２３ａ，２３ｂは、アンカーを「コ」の字状としたときに、「コ」の字状の折り曲げ部が入り込むガイドとなるもので、アンカーをＵ字状とする場合には設けなくともよい。
【００２２】
円板部１０は、硬質の樹脂あるいは金属からなる板状部材であるが、耐候性及び強度を確保できれば、特に材質は限定されない。円板部１０の大きさは特に限定されないが、ここでは直径８０ｍｍとしている。
円板部１０の表面側において、凹部２２は、図２（ａ）に示すように、円板部１０の中心部に設けられており、凹部２１ａ、２１ｂは中心を挟むように配置されている。円板部１０を上面視した場合、凹部２２と、２つの凹部２１ａ、２１ｂとは、円板部１０の中心を通る同一直線上に配置されている。凹部２１ａ、２１ｂの間隔は特に限定されないが、ここでは凹部２１ａ、２１ｂの上部開口の中心の間隔が４４ｍｍに設定されている。
【００２３】
円板部１０の裏面（下面）側には台形状の突出し部２４ａ、２４ｂと、直線状の突出し部２６ａ、２６ｂと、中空の円柱状のシート結合部２５と、が設けられている。
シート結合部２５は、尖頭部２５ａと、シート挿入部２５ｂと、支持部２５ｃとを備えている。シート挿入部２５ｂの外周は、尖頭部２５ａの根元及び支持部２５ｃの下端の外周よりも小さくなっている。シート結合部２５の尖頭部２５ａを含む断面の一部（ここでは、尖頭部２５ａとシート挿入部２５ｂの断面）は矢印状となっている。
シート結合部２５の尖頭部２５ａを含む断面の一部が矢印状となっていることで、尖頭部２５ａが防草シート１００を貫通すると、防草シート１００がシート挿入部２５ｂに入り込み、シート結合部２５とが結合する。支持部２５ｃは防草シート１００の可動範囲を規制するが、なくともよい。
突出し部２４ａ、２４ｂは、凹部２１ａ、２１ｂを構成するために設けられたものである。Ｕ字形のアンカーを凹部２１ａ、２１ｂに打ち込んだときに、凹部２１ａ、２１ｂの底面から突出し部２４ａ、２４ｂの上面を突き抜けた、Ｕ字形のアンカーの一対の棒状部分は「ハ」の字状に延びていく。
直線状の突出し部２６ａ、２６ｂは、直線溝２３ａ，２３ｂを構成するために設けられたものである。直線溝２３ａ，２３ｂを設けない場合は、設けなくともよい。
【００２４】
円板部１０の下端と、シート結合部２５の尖頭部２５ａの根元の位置とは、同じ高さとなるように配置される。ここで、同じ高さとは完全同一であることを意味せず、円板部１０の下端は、所定の範囲で、シート結合部２５の尖頭部２５ａの根元の位置より高くても低くてもよい。通常は、防草シート１００の厚さを考慮して、防草シート１００の厚さ部分だけ、円板部１０の下端を、シート結合部２５の尖頭部２５ａの根元の位置より高くすることが好ましい。
円板部１０の下端がシート結合部２５の尖頭部２５ａの根元よりも低すぎると円板部１０の内部で、防草シート１００が地面から浮くことになり、円板部１０の下端がシート結合部２５の尖頭部２５ａの根元よりも高すぎると尖頭部２５ａが地中に入り込み、尖頭部２５ａの根元でシートの可動範囲を規制することが難しくなる。
【００２５】
支持部２５ｃを設ける場合は、円板部１０の下端はシート結合部２５の尖頭部２５ａの根元と、支持部２５ｃの下端との間（図３（ｂ）の間隔ｄ内）の高さに位置することが望ましい。支持部２５ｃを設けると、シート結合部２５の尖頭部２５ａの根元と、支持部２５ｃの下端との間に、防草シート１００を挟みこむことができるので、防草シート１００の上下移動をより規制することができる。間隔ｄは防草シート１００の厚さを超え、１０ｍｍ以下に設定することが望ましい。所定の範囲は支持部２５ｃの有無によらず、この範囲とすることが望ましい。
【００２６】
尖頭部２５ａは、円錐２５ａ−１の側面に４本の羽根部２５ａ−２が付いて構成される。尖頭部２５ａの形状は、かかる形状に限定されず、例えば、羽根部のない円錐、三角錐，四角錐等の角錐でもよい。本願においては、これらの形状を含めて錐体という。なお、錐体の先端は角に丸み（Ｒ）がついていてもよい。尖頭部２５ａの形状は、シートが貫通可能な形状であればよく、例えば砲弾状、横断面が十字等の放射状となるように三角羽根を複数組み合わせた立体形状等であってもよい。
尖頭部２５ａは防草シート１００を貫通して尖頭部２５ａが防草シート１００の裏面に突き出し、防草シート１００はシート挿入部２５ｂに入る。こうして防草シート１００は、尖頭部２５ａと支持部２５ｃとの間のシート挿入部２５ｂに入り、シート押さえ具１と結合される。
尖頭部２５ａを設けることで、シート結合部２５はシートを貫通可能となる。そして、防草シート１００とシート押さえ具１とが結合することで、シート押さえ具１が防草シート１００から外れることはなくなる。
【００２７】
シート押さえ具１は、図１に示すように、アンカー５０とともに用いられる。アンカー５０は、軟鋼からなる円柱形の棒状部材を略Ｕ字状に折り曲げてなるものであり、中央の折り曲げ部５０ａと、折り曲げ部５０ａの両側から直線状に延びる棒状部５０ｂ、５０ｂとからなる。棒状部５０ｂ、５０ｂは互いに平行である。
【００２８】
アンカー５０の太さは、凹部２１ａ、２１ｂの上面の開口のよりも小さい（例えば、４ｍｍ）。また、本実施形態によれば、棒状部５０ｂ、５０ｂの間隔は４４ｍｍに設定されている。このため、アンカー５０の両端部は、凹部２１ａ、２１ｂの上面側の開口に同時に挿入することが可能である。
【００２９】
次に、本実施形態のシート押さえ具１の使用方法について説明する。図４は本発明の本実施形態のシート押さえ具１の使用方法を示す説明図である。
まず、作業員は、図１に示すように、地面に敷かれた防草シート１００上にシート押さえ具１を、表面を上にして載置し、シート押さえ具１を押圧する。すると、図３（ａ）に示すように、シート押さえ具１のシート結合部２５は防草シート１００を貫通して、シート押さえ具１と防草シート１００とが結合する。また、シート押さえ具１のシート結合部２５は地面に入りこむので、防草シート１００を固定する機能も有している。
【００３０】
次に、作業員は、図４（ａ）に示すように、アンカー５０の両端を凹部２１ａ、２１ａの開口に挿入する。このときアンカー５０の両端は傾斜した凹部２１ａ、２１ａに沿って曲がる。その後、アンカー５０をハンマー等を用いて打ち込む。アンカー５０を打ち込むと、図４（ｂ）に示すように、棒状部５０ｂ、５０ｂが凹部２１ａ、２１ｂの底面を突き抜けて、「ハ」の字状に斜め方向に送り出される。これにより、図４（ｃ）に示すように、棒状部５０ｂ、５０ｂが地面に対して斜め方向から差し込まれる。そして、アンカー５０の折り曲げ部５０ａがシート押さえ具１に到達するまで、棒状部５０ｂ、５０ｂを地面に差し込む。
以上の作業によって、防草シート１００がシート押さえ具１及びアンカー５０によって地面に固定される。
【００３１】
そして、防草シート１００の複数箇所を、シート押さえ具１とアンカー５０とを用いて地面に固定することにより、図５に示すように、防草シート１００の固定作業が完了する。
【００３２】
以上説明したように構成された本実施形態によれば、防草シート１００とシート押さえ具１とをシート結合部２５によって結合することで、例えば霜がおりた場合に、シート押さえ具１に上方に押し上げる力が働いても、シート押さえ具１は、結合された防草シート１００により下方向に引き戻す力を受ける。また、シート押さえ具１は、防草シート１００と結合されているので、防草シート１００から外れることはない。また、シート押さえ具１のシート結合部２５は地面に入りこむので、防草シート１００を固定することもできる。
【００３３】
防草シート１００上にシート押さえ具１を載置し、シート押さえ具１の表面から凹部２１ａ、２１ｂにアンカー５０を差し込むことにより、アンカー５０は凹部２１ａ、２１ｂを通過する際に屈曲し、アンカー５０を打ち込むことにより、アンカー５０はシート押さえ具１の裏面から斜め方向に延びる。このため、防草シート１００を貫通したアンカー５０は、地面に対して斜め方向に差し込まれる。これにより、シート押さえ具１に対して下から上に突き上げるような力が加わった場合に、アンカー５０が上方に移動しようとする際の抵抗が大きくなり、アンカー５０及びシート押さえ具１が上方に移動しにくくなるため、地面を防草シート１００で覆った状態を安定して保つことが可能になる。
【００３４】
以上、本発明の実施形態について説明したが、本発明に係る実施形態は、上述した実施形態に限るものではない。
例えば、凹部２１ａ、２１ｂの形状は特に限定されず、特許文献１の図２のようにＵ字形のアンカーを用いた場合は円筒状となる。凹部２１ａ、２１ｂの形状は、特許文献２の図５及び図６に記載された貫通孔を形成するように構成してもよい。
なお。ここでは、アンカーをハンマー等で打ち込むことで、凹部２１ａ、２１ｂの底面を、アンカーを貫通させて貫通孔を形成しているが、凹部２１ａ、２１ｂの底面をなくして貫通孔を形成した状態でシート押さえ具を構成してもよい。
【００３５】
また、上述した実施形態によれば、凹部の数が２つであるが、それ以上であってもよい。また、上述した実施形態によれば、略Ｕ字形のアンカー５０を差し込む例について説明したが、例えば、上端部が鉤状に形成された２本のアンカーを、２つの凹部２１ａ、２１ｂにそれぞれ挿入してもよい。
上述した実施形態では、シート押さえ具で固定するシートとして防草シートを例にとって説明したが、特に防草シートに限定されず、例えばレジャー用シートであってもよい。
また、板状部材は湾曲した円板部１０を用いたが、平板状の円板を用いてもよい。また板状部材の形状は円形に限定されず、他の形状、例えば四角を含む多角形、楕円形等であってもよい。
【符号の説明】
【００３６】
１  シート押さえ具
１０  円板部
２１ａ、２１ｂ  凹部
２２  凹部
２３ａ、２３ｂ  直線溝
２４ａ、２４ｂ  突出し部
２５  シート結合部
２６ａ、２６ｂ  直線状の突出し部
５０  アンカー
５０ａ  曲げ部
５０ｂ  棒状部
１００  防草シート
【図１】
2020018207.tif 000003
【図２】
2020018207.tif 000004
【図３】
2020018207.tif 000005
【図４】
2020018207.tif 000006
【図５】
2020018207.tif 000007
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
地面に敷設されたシートに結合されるシート押さえ具であって、
板状部材と、前記板状部材の裏面に設けられ、前記シートと結合するシート結合部とを備え、
前記シート結合部は、前記シートを貫通する尖頭部と、前記板状部材に接続された支持部と、前記支持部と前記尖頭部とに接続され、前記支持部の下端の外周及び前記尖頭部の根元の外周よりも外周が小さいシート挿入部とを備え、前記シート挿入部と前記尖頭部との断面は矢印となっており、
前記シート結合部の前記尖頭部の根元と、前記支持部の下端との間の間隔は、前記シートの厚さを超え、１０ｍｍ以下に設定されている、シート押さえ具。
【請求項２】
前記板状部材は湾曲しており、
前記板状部材の下端は、前記板状部材の外周にあり、
前記板状部材の下端と、前記シート結合部の前記尖頭部の根元とはほぼ同じ高さである、請求項１に記載のシート押さえ具。
【請求項３】
前記板状部材は湾曲しており、
前記板状部材の下端は、前記板状部材の外周にあり、
前記板状部材の下端は、前記シート結合部の前記尖頭部の根元と、前記支持部の下端との間の高さに位置している、請求項１に記載のシート押さえ具。
【請求項４】
前記尖頭部は錐体である、請求項１から３のいずれか１項に記載のシート押さえ具。
【請求項５】
前記錐体の側面に該側面に垂直な複数の羽根部を有する、請求項４に記載のシート押さえ具。
【請求項６】
前記板状部材は、略Ｕ字状に折り曲げてなるアンカーを挿入する少なくとも２つの凹部又は貫通孔を有する請求項１から５のいずれか１項に記載のシート押さえ具。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
地面に敷設されたシートに結合されるシート押さえ具であって、
湾曲した板状部材と、前記板状部材の裏面に設けられ、前記シートと結合するシート結合部とを備え、
前記シート結合部は、前記シートを貫通する尖頭部と、前記板状部材に接続された支持部と、前記支持部と前記尖頭部とに接続され、前記支持部の下端の外周及び前記尖頭部の根元の外周よりも外周が小さいシート挿入部とを備え、前記シート挿入部と前記尖頭部との断面は矢印となっており、
前記シート結合部の前記尖頭部の根元と、前記支持部の下端との間の間隔は、前記シートの厚さを超え、１０ｍｍ以下に設定されており、
前記支持部と前記シート挿入部との境界及び前記シート挿入部と前記尖頭部との境界には段差が設けられている、シート押さえ具。
【請求項２】
前記板状部材の下端は、前記板状部材の外周にあり、
前記板状部材の下端と、前記シート結合部の前記尖頭部の根元とはほぼ同じ高さである、請求項１に記載のシート押さえ具。
【請求項３】
前記板状部材の下端は、前記板状部材の外周にあり、
前記板状部材の下端は、前記シート結合部の前記尖頭部の根元と、前記支持部の下端との間の高さに位置している、請求項１に記載のシート押さえ具。
【請求項４】
前記尖頭部は錐体である、請求項１から３のいずれか１項に記載のシート押さえ具。
【請求項５】
前記錐体の側面に該側面に垂直な複数の羽根部を有する、請求項４に記載のシート押さえ具。
【請求項６】
前記板状部材は、略Ｕ字状に折り曲げてなるアンカーを挿入する少なくとも２つの凹部又は貫通孔を有する請求項１から５のいずれか１項に記載のシート押さえ具。
【手続補正２】
【補正対象書類名】明細書
【補正対象項目名】００１０
【補正方法】変更
【補正の内容】
【００１０】
（１）  本発明に係るシート押さえ具は、地面に敷設されたシートに結合されるシート押さえ具であって、
湾曲した板状部材と、前記板状部材の裏面に設けられ、前記シートと結合するシート結合部とを備え、
前記シート結合部は、前記シートを貫通する尖頭部と、前記板状部材に接続された支持部と、前記支持部と前記尖頭部とに接続され、前記支持部の下端の外周及び前記尖頭部の根元の外周よりも外周が小さいシート挿入部とを備え、前記シート挿入部と前記尖頭部との断面は矢印となっており、
前記シート結合部の前記尖頭部の根元と、前記支持部の下端との間の間隔は、前記シートの厚さを超え、１０ｍｍ以下に設定されており、
前記支持部と前記シート挿入部との境界及び前記シート挿入部と前記尖頭部との境界には段差が設けられている、シート押さえ具である。
【手続補正３】
【補正対象書類名】明細書
【補正対象項目名】００１１
【補正方法】変更
【補正の内容】
【００１１】
（２）  （１）に記載のシート押さえ具において、前記板状部材の下端は、前記板状部材の外周にあり、前記板状部材の下端と、前記シート結合部の前記尖頭部の根元とはほぼ同じ高さとすることができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
（３）  （１）に記載のシート押さえ具において、前記板状部材の下端は、前記板状部材の外周にあり、前記板状部材の下端は、前記シート結合部の前記尖頭部の根元と、前記支持部の下端との間の高さに位置していることが望ましい。
【手続補正６】
【補正対象書類名】明細書
【補正対象項目名】００１４
【補正方法】変更
【補正の内容】
【００１４】
（４）  （１）から（３）のいずれかに記載のシート押さえ具において、前記尖頭部は錐体とすることができる。
【手続補正７】
【補正対象書類名】明細書
【補正対象項目名】００１５
【補正方法】変更
【補正の内容】
【００１５】
（５）  （４）に記載のシート押さえ具において、前記錐体の側面に該側面に垂直な複数の羽根部を有することができる。
【手続補正８】
【補正対象書類名】明細書
【補正対象項目名】００１６
【補正方法】変更
【補正の内容】
【００１６】
（６）  （１）から（５）のいずれかに記載のシート押さえ具において、前記板状部材は、略Ｕ字状に折り曲げてなるアンカーを挿入する少なくとも２つの凹部又は貫通孔を有してもよい。